(57)【要約】【課題】衝撃に対し、梱包用緩衝材を一定方向にたわませることで開発設計時の緩衝効果の調整を容易にするとともに、Ｇ値低減のための十分なたわみ量を実現させることが可能となる。【解決手段】本発明の梱包用緩衝材は、被梱包物に被着され弾性部材からなる第１緩衝部と、第１緩衝部に一体形成され弾性部材からなる２つの第２緩衝部と、から構成され、第２緩衝部は、第１緩衝部に対し斜めに形成された斜めリブとＴ字形を有するＴ字リブとが一体形成され、さらに斜めリブが互いに向き合うように第１緩衝部に一体形成される。【選択図】図２
2010274970.tif 000002
【特許請求の範囲】
【請求項１】
被梱包物への衝撃を緩和するための梱包用緩衝材において、
前記梱包用緩衝材は、
前記被梱包物に被着され弾性部材からなる第１緩衝部と、
前記第１緩衝部に一体形成され弾性部材からなる２つの第２緩衝部と、から構成され、
前記第２緩衝部は、前記第１緩衝部に対し斜めに形成された斜めリブとＴ字形を有するＴ字リブとが一体形成され、さらに前記斜めリブが互いに向き合うように前記第１緩衝部に一体形成される
ことを特徴とする梱包用緩衝材。
【請求項２】
前記Ｔ字リブは、前記Ｔ字形の水平方向に窪みを有することを特徴とする請求項１記載の梱包用緩衝材。
【請求項３】
前記一体形成された斜めリブとＴ字リブの断面が略三角形、略三角形と略長方形が組み合わされた形、又は略扇形のいずれかであることを特徴とする請求項１記載の梱包用緩衝材。
【請求項４】
前記被梱包物の４角の内少なくとも２角に被着されることを特徴とする請求項１記載の梱包用緩衝材。
【請求項５】
前記被梱包物は映像表示装置であり、
少なくとも、前記２つの第２緩衝部は、前記第１緩衝部の前記映像表示装置のディスプレイパネル側に一体形成されていることを特徴とする請求項１記載の梱包用緩衝材。
【発明の詳細な説明】
【技術分野】
【０００１】
本発明は、梱包用緩衝材に関するものである。
【背景技術】
【０００２】
プラズマテレビ等の薄型テレビに用いられるガラス製ディスプレイパネルは、元来ディスプレイパネル前面からの衝撃に対して弱い。
【０００３】
さらに近年は、市場からのコストダウンや軽量化要望が強く、ディスプレイパネルのベース金具の薄肉化や補強構造の省略等により、ディスプレイパネルの強度が弱くなっていく傾向にあり、梱包用緩衝材の設計においてディスプレイパネル前面からの落下におけるＧ値（衝撃加速度）低減が大きな課題となっている。
【０００４】
薄型テレビ等の従来の梱包用緩衝材においては、運搬時の落下等でディスプレイパネル前面から受ける衝撃を吸収する緩衝材の形状として、衝撃方向に対して突出した三角リブや角形状が用いられている。
【０００５】
図７から図１１に従来の梱包用緩衝材の例を示す。
【０００６】
図７は、従来例１の梱包用緩衝材の斜視図で、被梱包物の角部に被着される梱包用緩衝材を示す図である。
【０００７】
また、図８は、従来例１の梱包用緩衝材の要部の断面図である。
【０００８】
また、図９は、従来例１の梱包用緩衝材の第二緩衝物に設けた凸部による衝撃吸収作用を説明する図である。
【０００９】
図８に示すように、従来例１の梱包用緩衝材は、第１緩衝物１１１に断面がほぼ直角三角形の凸部１１２と断面がほぼ二等辺三角形の凸部１１３（総称して、三角リブ）を備え、図９に示す力が印加された場合、圧縮変形又は湾曲変形して印加された力を吸収することが出来る（特許文献１）。
【００１０】
しかしながら、このような三角リブでは、プラズマテレビの転倒時等のディスプレイパネル前面からの衝撃を受ける面積が大きすぎて、Ｇ値低減に必要なたわみ量を十分に得ることが出来ない。
【００１１】
よって、近年は、梱包用緩衝材として、以下に述べるような角形状のものが用いられている。
【００１２】
図１０は、従来例２のプラズマテレビの四角に梱包用緩衝材を被着させたときのディスプレイパネル前面から見た斜視図である。
【００１３】
また、図１１は、従来例２の梱包用緩衝材の斜視図及び三面図で、プラズマテレビの左下角部に設置される梱包用緩衝材を示す図である。
【００１４】
図１１に示すように、従来例２の梱包用緩衝材１０２には、角形状の角１１４が用いられ、プラズマテレビ５の転倒時等のディスプレイパネル前面からの衝撃を受ける面積を極力小さくすることで、ディスプレイパネル前面からの衝撃に対し十分なたわみ量が得られ、目標とするＧ値を実現することができる。
【先行技術文献】
【特許文献】
【００１５】
【特許文献１】特開平１１−５９７３６号公報
【発明の概要】
【発明が解決しようとする課題】
【００１６】
しかしながら、従来の梱包用緩衝材では、Ｇ値を低くしようとすればするほど角は細く長くしなければならず、梱包用緩衝材が衝撃に対し折れたりする場合がある。角が折れた場合は、緩衝効果が得られずＧ値が上がってしまい、ディスプレイパネル割れの原因となるという課題があった。
【００１７】
また、緩衝形状上、衝撃に対し梱包用緩衝材が一定方向にたわむとは限らず、開発設計時の緩衝効果の調整が困難であるという課題があった。
【００１８】
本発明は、上記のような従来技術の問題に鑑み、衝撃に対し、梱包用緩衝材を一定方向にたわませることで開発設計時の緩衝効果の調整を容易にするとともに、Ｇ値低減のための十分なたわみ量を実現させる梱包用緩衝材を提供することを目的とする。
【課題を解決するための手段】
【００１９】
上記課題を解決するために、本発明の梱包用緩衝材は、被梱包物への衝撃を緩和するための梱包用緩衝材において、前記梱包用緩衝材は、前記被梱包物に被着され弾性部材からなる第１緩衝部と、前記第１緩衝部に一体形成され弾性部材からなる２つの第２緩衝部と、から構成され、前記第２緩衝部は、前記第１緩衝部に対し斜めに形成された斜めリブとＴ字形を有するＴ字リブとが一体形成され、さらに前記斜めリブが互いに向き合うように前記第１緩衝部に一体形成される。
【発明の効果】
【００２０】
本発明の梱包用緩衝材によれば、衝撃に対し、梱包用緩衝材を一定方向にたわませることで開発設計時の緩衝効果の調整を容易にするとともに、Ｇ値低減のための十分なたわみ量を実現することが可能となる。
【図面の簡単な説明】
【００２１】
【図１】本発明の実施例１における梱包用緩衝材をプラズマテレビに被着させたときのディスプレイパネル前面から見た斜視図
【図２】本発明の実施例１における梱包用緩衝材でプラズマテレビの左下角部に被着させる梱包用緩衝材の斜視図及び三面図
【図３】本発明の実施例１における梱包用緩衝材のＴ字リブ緩衝部の三面図
【図４】本発明の他の実施例における梱包用緩衝材のＴ字リブ緩衝部の三面図
【図５】本発明の他の実施例における梱包用緩衝材のＴ字リブ緩衝部の三面図
【図６】本発明の他の実施例における梱包用緩衝材のＴ字リブ緩衝部の三面図
【図７】従来例１の梱包用緩衝材の斜視図
【図８】従来例１の梱包用緩衝材の要部の断面図
【図９】従来例１の梱包用緩衝材の第二緩衝物に設けた凸部による衝撃吸収作用を説明する図
【図１０】従来例２のプラズマテレビの四角に梱包用緩衝材を被着させたときのディスプレイパネル前面から見た斜視図
【図１１】従来例２の梱包用緩衝材の斜視図及び三面図
【発明を実施するための形態】
【００２２】
以下本発明を実施するための形態について、図面を参照しながら説明する。
【実施例１】
【００２３】
図１は、本発明の実施例１における梱包用緩衝材１及び２、また従来例における梱包用緩衝材３及び４をプラズマテレビの四角に被着させたときのディスプレイパネル前面から見た斜視図である。
【００２４】
Ｔ字リブ緩衝部１２（後述）を備える梱包用緩衝材１がプラズマテレビ５の左下角部、Ｔ字リブ緩衝部１２を備える梱包用緩衝材２がプラズマテレビ５の右下角部に被着されている。また梱包用緩衝材３がプラズマテレビ５の左上角部、梱包用緩衝材４がプラズマテレビ５の右上角部に被着されている。本実施例１において、梱包用緩衝材３及び梱包用緩衝材４にはＴ字リブ緩衝材１２は備えられていない。
【００２５】
梱包時、プラズマテレビ５は、運搬時等にプラズマテレビ５のディスプレイパネルや筐体に傷がつかない様、図１に示す状態でダンボール箱等の梱包部材（図示せず）に梱包用緩衝材１〜４が密着するように梱包されている。
【００２６】
図２は、本発明の実施例１における梱包用緩衝材１で、プラズマテレビ５の左下角部に被着させる梱包用緩衝材１の斜視図（ａ）及び梱包用緩衝材１をディスプレイパネル天面から見た天面図（ｂ）、ディスプレイパネル前面から見た前面図（ｃ）、ディスプレイパネル側面からみた側面図（ｄ）の三面図である。
【００２７】
また、図３は、本発明の実施例１における梱包用緩衝材１の第２の梱包用緩衝部１２で、Ｔ時リブ緩衝部１２をディスプレイパネル天面からみた天面図（ａ）、ディスプレイパネル前面から見た前面図（ｂ）及び、ディスプレイパネル側面から見た側面図（ｃ）の三面図である。
【００２８】
図２（ａ）〜（ｄ）に示すように、梱包用緩衝材１は、発泡ポリスチレン等からなり弾性を有する第１の梱包用緩衝部１１と、梱包用緩衝部１１と同材料で一体形成され弾性を有し同一形状からなる２つの第２の梱包用緩衝部１２で構成されている。第１の梱包用緩衝部１１は、第２の梱包用緩衝部１２に比べ、構成物が薄いため衝撃に対したわみやすくなっている。第２の梱包用緩衝部１２は、第１の梱包用緩衝部１１のディスプレイパネル前面側に互いに一定の間隔をあけて一体形成されている。また、第２の梱包用緩衝部１２は、各々の斜めリブ３１が向き合うように第１の梱包用緩衝材１１に一体形成されている。
【００２９】
また図２及び図３に示すように、第２の梱包用緩衝部１２は、第１の梱包用緩衝部１１に対して斜めに形成された斜めリブ３１と、ディスプレイパネル側面から見てＴ字形を有するＴ字リブ３２とから構成され、その断面が略三角形となるように第１の梱包用緩衝部１１に一体形成されており、梱包用緩衝材１の開発設計時にＴ字リブ４２の厚みｔを増減させることで、ディスプレイパネル前面からの衝撃に対する第２の梱包用緩衝部１２のたわみ量を容易に調整できる構成となっている。
【００３０】
以上のように形成された第２の梱包用緩衝部１２の衝撃吸収作用について、以下に説明する。
【００３１】
梱包されたプラズマテレビ５にディスプレイパネル前面から衝撃が加わった場合、プラズマテレビ５の左下角部及び右下角部に被着された第２の梱包用緩衝部１２に梱包部材から衝撃が伝道される。梱包部材から衝撃が伝道された第２の梱包用緩衝部１２は、第１の梱包用緩衝部１１に互いに向き合うように一体形成された２つの第２の梱包用緩衝部１２の斜めリブ３１及びＴ字リブ３２の形成効果により、一定方向にたわみながら梱包されたプラズマテレビ５へのディスプレイパネル前面から衝撃を吸収する。
【００３２】
以上のような構成により、本発明の実施例１における梱包用緩衝材によれば、ディスプレイパネル前面からの衝撃に対し、梱包用緩衝材を一定方向にたわませることで開発設計時の緩衝効果の調整を容易にするとともに、Ｇ値低減のための十分なたわみ量を実現させる梱包用緩衝材を提供することが可能となる。
【００３３】
なお、本実施例１の梱包用緩衝材１は、第１の梱包用緩衝部１１のプラズマテレビ５の左下角部及び右下角部のディスプレイパネル前面側に第２の梱包用緩衝材１２を設ける構成としたが、これに限らず、プラズマテレビ５の左下角部及び右下角部のディスプレイパネル背面側にもディスプレイパネル前面側に設けた第２の梱包用緩衝部１２と同様の梱包用緩衝部を設ける構成としても良い。
【００３４】
以上のような構成により、ディスプレイパネル前面及びディスプレイパネル背面からの衝撃に対し、梱包用緩衝材を一定方向にたわませることで開発設計時の緩衝効果の調整をより容易にするとともに、Ｇ値低減のための十分なたわみ量を実現させる梱包用緩衝材を提供することが可能となる。
【００３５】
また、プラズマテレビ５の左上角部及び右上角部のディスプレイパネル前面側にも梱包用緩衝材１及び梱包用緩衝材２を用いても良い。
【００３６】
さらには、プラズマテレビ５の左上角部及び右上角部のディスプレイパネル背面側にも第２の梱包用緩衝部１２を設けても良い。
【００３７】
また、本発明の梱包用緩衝材はプラズマテレビ５の４角に配置されているが、これに限らず、他の場所（例えば上下中央部）に配置されている場合でもＧ値低減が必要とする緩衝材に適用可能である。
【００３８】
また、本発明の実施例１においては、梱包用緩衝材１の第１の梱包用緩衝部１１と２つの第２の梱包用緩衝部１２を一体形成する構成としたが、これに限らず、第１の梱包用緩衝部１１又は第２の梱包用緩衝部１２の一方に凸部、他方に凹部を設け、互いに係合する構成としても良い。
【００３９】
また、本発明の実施例１においては、被梱包物としてプラズマテレビを例として挙げたが、これに限らず、その他の薄型テレビその他についても、本発明を適用可能であることは言うまでもない。
【００４０】
また、図４の第２の梱包用緩衝部１３に示すように、第２の梱包用緩衝部１２のＴ字リブ３２にくの字形状を設けた構成としても良い。
【００４１】
以上のような構成により、衝撃に対し、梱包用緩衝材をより確実に一定方向にたわませる効果を得ることができ、開発設計時の緩衝効果の調整をさらに容易にするとともに、Ｇ値低減のための十分なたわみ量を実現させる梱包用緩衝材を提供することが可能となる。
【００４２】
また、図５の第２の梱包用緩衝部１４に示すように、第１の梱包用緩衝部１１対して斜めに形成された斜めリブ３５と、ディスプレイパネル側面から見てＴ字形を有するＴ字リブ３６とから構成され、その断面が略三角形と略長方形を合わせた形状となるように、第１の梱包用緩衝部１１に一体形成される構成としても良い。
【００４３】
以上のような構成により、衝撃に対し、梱包用緩衝材を一定方向にたわませることで開発設計時の緩衝効果の調整を容易にするとともに、Ｇ値低減のための十分なたわみ量を実現させる梱包用緩衝材を提供することが可能となる。
【００４４】
また、図６の第２の梱包用緩衝部１５に示すように、第１の梱包用緩衝部１１対して斜めに形成された曲線を有する斜めリブ３７と、ディスプレイパネル側面から見てＴ字形を有するＴ字リブ３８とから構成され、その断面が略扇型となるように、第１の梱包用緩衝部１１に一体形成される構成としても良い。
【００４５】
以上のような構成により、衝撃に対し、梱包用緩衝材を一定方向にたわませることで開発設計時の緩衝効果の調整を容易にするとともに、Ｇ値低減のための十分なたわみ量を実現させる梱包用緩衝材を提供することが可能となる。
【産業上の利用可能性】
【００４６】
本発明にかかる梱包用緩衝材は、衝撃に対し、梱包用緩衝材を一定方向にたわませることで開発設計時の緩衝効果の調整を容易にするとともに、Ｇ値低減のための十分なたわみ量を実現させることが可能であり、梱包用緩衝材として有用である。
【符号の説明】
【００４７】
１〜４、１０１〜１０３    梱包用緩衝材
５    プラズマテレビ
１１    第１の梱包用緩衝部
１２、１３、１４、１５    第２の梱包用緩衝部
３１、３３、３５、３７    斜めリブ
３２、３４、３６、３８    Ｔ字リブ
１１１    第一緩衝物
１１２、１１３    三角リブ
１１４    角
【図１】
2010274970.tif 000003
【図２】
2010274970.tif 000004
【図３】
2010274970.tif 000005
【図４】
2010274970.tif 000006
【図５】
2010274970.tif 000007
【図６】
2010274970.tif 000008
【図７】
2010274970.tif 000009
【図８】
2010274970.tif 000010
【図９】
2010274970.tif 000011
【図１０】
2010274970.tif 000012
【図１１】
2010274970.tif 000013